Podtech/llm-jp-corpus-v4-ja_patent huggingface dataset:
(57)【要約】【課題】ゴミで一杯になったゴミ袋を容易に取り出すことのできるゴミ箱の提供。【解決手段】筒状本体の上下開口部に、蓋部と底部をそれぞれ着脱自在に取り付けたことを特徴とするゴミ箱。【選択図】図１
2011152977.tif 000002
【特許請求の範囲】
【請求項１】
筒状本体の上下開口部に、蓋部と底部をそれぞれ着脱自在に取り付けたことを特徴とするゴミ箱。
【請求項２】
着脱自在の取り付け手段が、嵌合であることを特徴とする請求項１記載のゴミ箱。
【請求項３】
蓋部が、ゴミ投入口を備えていることを特徴とする請求項１又は２記載のゴミ箱。
【請求項４】
筒状本体、蓋部及び底部が、折曲可能な合成樹脂又は紙から構成されていることを特徴とする請求項１〜３の何れか１項記載のゴミ箱。
【請求項５】
筒状本体、蓋部及び底部が、筒状本体形成用展開シート体、蓋部形成用展開シート体及び底部形成用展開シート体をそれぞれ折曲して組み立てられていることを特徴とする請求項４記載のゴミ箱。
【発明の詳細な説明】
【技術分野】
【０００１】
本発明はゴミ箱、特にゴミの取り出しが容易なゴミ箱に関する。
【背景技術】
【０００２】
従来のゴミ箱は、何れも上部に設けられた開口部からゴミを入れたり、出したりする構造となっていた（例えば、特許文献１参照）。
而して、一般にゴミの廃棄は、当該ゴミ箱内に予め廃棄用ゴミ袋をセットした後、ゴミ箱の上部開口部から当該ゴミ袋内に生ゴミ等のゴミを入れ、ゴミで一杯になった時に、生ゴミ等のゴミを収容した状態で、ゴミ袋をゴミ箱の上部開口部から上方に取り出すことによって行なわれていた。
【０００３】
しかしながら、生ゴミ等のゴミで一杯になったゴミ袋は重量があるため、ゴミ箱の上部開口部から上方に取り出すことは意外と大変な力仕事であり、特に年配者等非力な人にとってはかなり困難な作業となっていたのが実状であった。
【先行技術文献】
【特許文献】
【０００４】
【特許文献１】特開２００８−２８０１４３号公報
【発明の概要】
【発明が解決しようとする課題】
【０００５】
本発明は、上記の如き従来の実状に鑑みてなされたものであり、年配者等非力な人でも、重量のある生ゴミ等のゴミで一杯になったゴミ袋のゴミ箱からの取り出し作業を容易に行なうことのできるゴミ箱を提供することを課題としている。
【課題を解決するための手段】
【０００６】
本発明者は、上記の課題を解決すべく、種々検討を重ねた結果、ゴミ袋をゴミ箱の上部ではなく、下部から排出すれば、ゴミ袋の自重を利用して、極めて容易にゴミ袋をゴミ箱から取り出すことができることに着目し、本発明を完成した。
【０００７】
すなわち、本発明は筒状本体の上下開口部に、蓋部と底部をそれぞれ着脱自在に取り付けたことを特徴とするゴミ箱により、上記課題を解決したものである。
【発明の効果】
【０００８】
本発明のゴミ箱を用いれば、ゴミ袋が生ゴミ等のゴミで一杯になった場合、筒状本体から蓋部を取り外し、筒状本体を底部から引き上げれば、生ゴミ等のゴミで一杯になったゴミ袋は、その自重で底部上に残置されるので、極めて容易にゴミ袋をゴミ箱から排出せしめることができる。
従って、本発明によれば、年配者等非力な人であっても、ゴミの取り出し作業を容易に行なうことができる。
【図面の簡単な説明】
【０００９】
【図１】本発明ゴミ箱の概略断面説明図。
【図２】本発明ゴミ箱へのゴミ入れ状態を示す概略断面説明図。
【図３】本発明ゴミ箱からのゴミ袋取り出し状態を示す概略断面説明図。
【図４】（１）は筒状本体形成用展開シート体の概略平面説明図、（２）は筒状本体形成用展開シート体を折り畳んだ状態を示す概略正面説明図。
【図５】蓋部形成用展開シート体の概略平面説明図。
【図６】底部形成用展開シート体の概略平面説明図。
【発明を実施するための形態】
【００１０】
以下本発明の実施の形態を図面と共に説明する。
【００１１】
図１は、本発明ゴミ箱の概略断面説明図である。
該図１において、１０はゴミ箱で、筒状本体１１の上下開口部に、蓋部１２と底部１３がそれぞれ着脱自在に取り付けられている。
【００１２】
筒状本体１１の形状は、図３に示されるように、上部開口部１１ａ及び下部開口部１１ｂを有するものであれば、円筒型、角筒型の如何を問わない。
【００１３】
蓋部１２には、図２及び図５に示されるように、切り込み１２ａにより形成された開閉蓋１２ｂの折曲によって開閉されるゴミ投入口１２ｃが形設されている。
【００１４】
筒状本体１１への蓋部１２及び底部１３の着脱自在の取り付け手段は特に限定されないが、嵌合が簡便である。
【００１５】
筒状本体１１、蓋部１２及び底部１３の材質は、金属や木等その如何を問わないが、折曲可能な合成樹脂（プラスチック）や紙の段ボール等が簡易にゴミ箱を成形し得る点で好ましい。
特に、図４〜図６に示されるように、筒状本体形成用展開シート体１１Ｐ、蓋部形成用展開シート体１２Ｐ及び底部形成用展開シート体１３Ｐを用い、図中破線で表わされる谷折り線ｍに沿って、それぞれ折曲して組み立てられた筒状本体１１、蓋部１２及び底部１３であれば、不使用時における折り畳みが容易となり好ましい。
【００１６】
尚、当該折曲組み立ては、適宜接着テープにて固定、あるいは各展開シート体１１Ｐ、１２Ｐ、１３Ｐに形成した糊代ｎに予め設けた両面接着テープにて固定して行なうのが簡便であり、特に販売時点での販売者による組み立て、あるいは購買者が購入後に自ら組み立てるのが容易となり、流通面、価格面での優位性が保たれる。
【００１７】
次に、上記の実施の形態に係るゴミ箱１０の使用方法を説明する。
まず、普通一般のゴミ箱と同様に、蓋部１２を筒状本体１１から取り外し、当該筒状本体１１の内部に廃棄用ゴミ袋２０をセットした後、再び蓋部１２を取り付ける。次いで、蓋部１２の開閉蓋１２ｂを上方に折曲してゴミ投入口１２ｃを開口せしめ、当該ゴミ投入口１２ｃから生ゴミ等のゴミ３０を当該ゴミ袋２０内に投入し（図２参照）、開閉蓋１２ｂを戻してゴミ投入口１２ｃを閉止する。
【００１８】
斯かるゴミ３０の投入により当該ゴミ袋２０が生ゴミ等のゴミ３０で一杯になった場合、筒状本体１１から蓋部１２を取り外し、当該筒状本体１１を底部１３から上方に引き上げれば、生ゴミ等のゴミ３０で一杯になった当該ゴミ袋２０は、その自重で底部１３上に残置される（図３参照）。
【符号の説明】
【００１９】
１０：ゴミ箱
１１：筒状本体
１１ａ：上部開口部
１１ｂ：下部開口部
１１Ｐ：筒状本体形成用展開シート体
１２：蓋部
１２ａ：切り込み
１２ｂ：開閉蓋
１２ｃ：ゴミ投入口
１２Ｐ：蓋部形成用展開シート体
１３：底部
１３Ｐ：底部形成用展開シート体
２０：廃棄用ゴミ袋
３０：ゴミ
ｍ：谷折り線
ｎ：糊代
【図１】
2011152977.tif 000003
【図２】
2011152977.tif 000004
【図３】
2011152977.tif 000005
【図４】
2011152977.tif 000006
【図５】
2011152977.tif 000007
【図６】
2011152977.tif 000008
(57)【要約】【課題】  化石燃料を利用した火力発電や、危険が伴う原子力発電、建設コストが高い水力発電に頼らす、社会における実生活での動作を利用し、かつ不安定な電力供給となる自然を利用した発電よりも、安定的に電力供給を行う。【解決手段】  車両が道路を走行することにより発電、および車両に充電するために、道路、車両それぞれに発電用コイルと磁石を配する。【選択図】図１
2011152024.tif 000002
【特許請求の範囲】
【請求項１】
発電用コイルを配した道路上を、車両に磁石を配した自動車が走行することによる発電方法。
【請求項２】
発電用コイルを配した自動車が、磁石を配した道路を走行することによって、電気を動力などとする自動車へ充電する方法。
【発明の詳細な説明】
【技術分野】
【０００１】  本発明は、社会生活において、絶え間なく移動している自動車を利用した発電方法、および、立ち止まることなく電気自動車の充電が可能となる方法である。
【背景技術】
【０００２】  発電用コイルと磁石を利用した最も基本的な発電手段を、自動車という移動する物体、および道路という社会資本の組み合わせで実現するものである。【０００３】  この発電手段において問題となるであろう、発生する磁力と電磁波の人体などの影響は、それらを遮断するシートなどにより、すでに実用化されている技術で対応、防御可能である。
【発明の開示】
【発明が解決しようとする課題】
【０００４】  地球温暖化対策等、代替エネルギーの開発が急がれる今日において、環境負荷の低いエネルギーが望まれている。その役を担う、と目されているのが電力である。【０００５】  それを得るために、自然を利用した太陽光発電、風力発電、が今後の主を担う、と捉えられているが、両者とも、常時安定した電力供給が不可能であるという欠点を持つため、化石燃料を動力源としたこれまでの火力発電や、取扱い上で危険を伴う原子力発電、設備が高コストとなる水力発電に頼らざるを得ない現状がある。【０００６】  そして、将来の主役ともくされている電気自動車も、現在、大きな技術革新の最中であるが、その動力源となる電気を蓄える大容量バッテリーの技術開発は、現状ではこれ以上、航続可能距離を伸ばすことが困難な状況にあるとともに、現時点の最高性能を持つ技術、と言われているリチウムイオンバッテリーが普及したことによって、リチウムの取引価格が急上昇している。これは、仮に今後新たな技術革新によって、違う原料を使うことになっても同じ経過を繰り返す、と想像できる。
【課題を解決するための手段】
【０００７】  あらかじめ道路に発電用コイルを配し、車両に両極の磁石を配した自動車がその道路を通過走行することによって電力が発生する。【０００８】  道路には両極の磁石も配し、車両には発電用コイルを配すことによって車両側にも電気が生まれ、それを利用した走行、同時に充電が可能となる。【０００９】  発生する磁場、電磁波の周辺への影響を最小限に抑えるため、また、発電効率を考慮し、高速道路、もしくはその対策を行いやすいバイパスなどに限定することが望ましい。さらに、磁場、電磁波が車両や乗員に悪影響を及ぼさぬよう、車両側にも対策を行うことが望ましい。【００１０】  道路、車両に配す発電用コイル、磁石は、路面、車体底面に限らず、路側壁やガードレールと車両側面でもよい。
【発明の効果】
【００１１】  本発明によって、自動車を利用した経済活動を制限することなく、環境負荷を大幅に低減することが可能となる。【００１２】  発電に関しては補助的役割と捉えなければならないが、現状、自動車を利用した経済活動が将来無くなることは推定できないため、何らかの技術革新によって、この発明における発電効率の大幅な上昇が実現すれば、通常の発電所と同じ役割を担える。【００１３】  電気自動車への充電に関しては、既存技術の車載太陽光パネルによる発電などを併用することにより、高性能電池開発の技術が滞ったとしても、航続可能距離は飛躍的に向上させることが可能となる。
【発明を実施するための最良の形態】
【００１４】  以下、本発明の実施の形態を図１から図２に基づいて説明する。【００１５】  図１のＡに示す、道路に配した発電用コイルは、最も発電効率が高い方式とし、これが一般発電用となる。ａは送電用電線である。【００１６】  図１のＢに示す、道路に配した磁石は、Ｎ極、Ｓ極交互に並べ、これが車両充電用となる。鉄が引きつけられる関係上、堆積してしまうであろう鉄粉などの清掃、さらに自動車の走行抵抗を最小限にとどめることなどを考慮し、あまり強力でないもの、もしくは磁力を切断、調節できる電磁石式でも良い。【００１７】  図１のＣに示す、車両側の磁石は、Ｎ極、Ｓ極交互に並べ、道路に配した発電用コイルの上を走行することにより発電する。鉄が引きつけられる関係上、堆積してしまうであろう鉄粉、さらに自動車の走行抵抗を最小限にとどめることなどを考慮し、あまり強力でないもの、もしくは磁力を切断、調節できる電磁石式でも良い。【００１８】  図１のＤに示す、車両側の発電用コイルは最も発電効率が高い方式とし、これが車両充電用となる。ｂはバッテリー、ｃはソーラーパネルである。【００１９】  図２は走行状態を事例した図である。
【図面の簡単な説明】
【００２０】
【図１】本発明における道路と自動車の構成図
【図２】走行状態の事例図
【符号の説明】
【００２１】      Ａ  道路側発電用コイル
Ｂ  道路側磁石
Ｃ  車体側磁石
Ｄ  車体側発電用コイル
ａ  送電用電線
ｂ  バッテリー
ｃ  ソーラーパネル
【図１】
2011152024.tif 000003
【図２】
2011152024.tif 000004
(57)【要約】      （修正有）【課題】粘土質の土の畑に植物を植える場合、一般的に植物の根の生育が非常に悪くて味も良くない。【解決手段】太陽熱吸収版を地中に挿入する。このことにより、水はけを良くして熱を伝道する、又太陽熱吸収版の空洞から集熱板で暖まった空気を送ることにより、地中の温度を上げ微生物を増やし有機物の分解を促進する。夜は集熱板の低い温度を伝道し地中の温度を下げて、昼と夜の温度差により植物の根に刺激を与えて根を活性化させる。【選択図】図２
2011152118.tif 000002
【特許請求の範囲】
【請求項１】
太陽熱吸収板を付けること。
【請求項２】
太陽熱吸収版で温まった空気を地中に伝道し、水はけをよくするための為の棒をつける。
【請求項３】
その棒には太陽熱吸収版で温まった空気を運ぶ為の空洞を作る。
【発明の詳細な説明】
【技術分野】
【０００１】この発明は植物の根を活性化することを考えたものである。
【背景技術】
【０００２】集熱版を付けその先に空洞の棒を取り付け、一番突端は土に挿入しやすくするために無垢とする
【図面の簡単な説明】
【０００３】
【図１】この発明品の平面図と縦面図である。
【図２】使用方法の説明図
【図１】
2011152118.tif 000003
【図２】
2011152118.tif 000004
(57)【要約】【課題】    二次元的要素が強い従来の将棋ゲーム機のリアルティを高め、ゲーム機以外では観賞用要素の強いデーター入カードの機能性を高めることで、若年層の将棋に対する関心を高め、現代のコミュニケーションツールとしても活用のできる将棋ゲーム機及びカードを提供する。【解決手段】  実寸サイズのプログラムデーターチップ入将棋駒（Ｃ）を使用し、データー認識コントロールパネル（Ｂ）による操作指示をデーター認識コントロールパネル（Ｂ）本体とタッチパネル本体画面（Ａ）相互に操作プログラムによる指示を反映させることで、リアリティの高い将棋ゲームが楽しめ、ゲーム機以外でもプログラムデーターチップ入将棋駒（Ｃ）は本来の将棋駒としても使用できるので対人のコミュニケーションツールとしても使用可能である。【選択図】図２
2011152155.tif 000002
【特許請求の範囲】
【請求項１】
データー認識コントロールパネル（Ｂ）による操作指示をデーター認識コントロールパネル（Ｂ）本体にプログラムを反映させ、タッチパネル本体画面（Ａ）にも指示を反映させる相互操作反映プログラム
【請求項２】
プログラムデーターチップが組み込まれている実寸サイズの将棋駒（Ｃ）
【請求項３】
プログラムデーターチップが組み込まれている実寸サイズの将棋駒（Ｃ）のデーターを読み込む将棋ゲーム機
【発明の詳細な説明】
【技術分野】
【０００１】  本発明は、画面によるタッチ操作とプログラムデーターチップが組み込まれた実寸サイズの将棋駒データを読み込む、盤面タイプのデーター認識コントロールパネル操作の相互間による操作をお互いに反映させるプログラムを活用することで、将棋のリアリティを向上させた将棋ゲーム機に関するものである。
【背景技術】
【０００２】  従来、タッチパネル（例えば、特許文献１参照）によって操作ができるゲーム機がある。これはゲーム機を操作するプレイヤーの指示に従ってプログラムが実行されるゲーム機である。【０００３】また、キャラクターが記載されているカードをゲーム機に使用するとそのキャラクターがゲームに反映されるカードも存在している。（特許文献２参照）
【特許文献１】  特許公開１１−２７６７１６号
【特許文献２】  特許公開２００１−３３４０１２号
【発明の開示】
【発明が解決しようとする課題】
【０００４】タッチパネル操作によるゲーム機は画面によるタッチ操作による指示によってプログラムが実行され、ゲーム画面もしくはその他の物に結果が反映されるるだけの一方方向式のものである。現状のプログラムでは２次元性が強く、リアリティが低い。【０００５】また、記載されている絵柄によるキャラクター情報データが組み込まれているカードを用いて遊ぶゲーム機もあるが、カードに絵柄が記載されているだけで専用ゲーム機で遊技できる以外、鑑賞することしかできない。【０００６】そして、なによりも科学の発達によって便利な世の中になったが、対人によるコミュニケーションをとる時間が減り、機械と向き合う時間が年々増加している。
よってこれらの課題が解決できないかと考えたものである。
【課題を解決するための手段】
【０００７】タッチパネル操作による指示をタッチパネル本体画面にプログラムを反映させ、さらに盤面タイプのデーター認識コントロールパネルにも指示を反映させる。
逆に、データー認識コントロールパネルによる操作指示をデーター認識コントロールパネル本体にプログラムを反映させ、タッチパネル本体画面にも指示を反映させることによって互換性をもたせ双方向のプログラムとする。【０００８】プログラムデーターチップが組み込まれている実寸サイズの将棋駒を盤面タイプのデーター認識コントロールパネル上にて使用する。
ゲーム性を有する実寸サイズの将棋の駒を使用する事で触感をだし、ゲーム機以外でも遊技する事が可能である。
【発明の効果】
【００１０】本発明の画面操作と盤面操作による相互操作プログラム将棋ゲーム機は、タッチパネルの画面操作による操作指示をタッチパネル本体画面と盤面タイプのデーター認識コントロールパネルへ双方向に反映させることにより、データーチップが入った実寸サイズの将棋駒をゲーム上で操作することが可能となる。また、将棋駒にふれることで、指先の蝕感を刺激し、よりリアルな将棋ゲームを楽しめるようになる。【００１１】さらに専用ゲーム機以外でもデーターチップの入った駒は将棋駒として使えるのでコミュニケーションツールとして活用し、家族又は、年配層とのコミュニケーションをとるきっかけにもなるのである。
【発明の実施する為の最良の形態】
【００１２】以下、本発明の実施の形態を図に基づいて説明する。
図１では、ゲーム機を操作するプレイヤーがプログラムデーターチップの入った実寸サイズの将棋駒（Ｃ）を盤面タイプのデーター認識コントロールパネル（Ｂ）にセットし、将棋駒（Ｃ）のデーターを読み込ませ、操作を行っている。
【００１３】図２では、データー認識コントロールパネル（Ｂ）により操作された指示データーをタッチパネル本体画面（Ａ）にプログラムを反映させている。
【００１４】また、図３ではタッチパネル本体画面（Ａ）によるタッチ操作により、ゲームプログラム画像によるプレイヤー側駒台（Ｄ）の上に置かれているゲームプログラム画像相手駒（Ｅ）を、ゲームプログラム画像盤面（Ｆ）上に移動した場合、データー認識コントロールパネル（Ｂ）に映像と音声によって反映させています。ゲームプログラム映像駒（Ｇ）この時、タッチパネル本体画面（Ａ）にも反映されている。
【図面の簡単な説明】
【００１５】
【図１】プレイヤーによるゲームデーター入将棋駒操作図
【図２】双方向によるプログラム反映図１
【図３】双方向によるプログラム反映図２
【符号の説明】
【００１６】Ａ  タッチパネル本体画面
Ｂ  盤面タイプのデーター認識コントロールパネル
Ｃ  プログラムデーターチップ入将棋駒
Ｄ  ゲームプログラム画像駒台
Ｅ  ゲームプログラム画像相手駒
Ｆ  ゲームプログラム画像盤面
Ｇ  ゲームプログラム映像駒
Ｈ  ゲームプレイヤー
【図１】
2011152155.tif 000003
【図２】
2011152155.tif 000004
【図３】
2011152155.tif 000005
(57)【要約】【課題】前後左右を含めて、あらゆる方向に移動でき、かつ、訓練中での転倒を防止することができる歩行訓練機を提供すること。【解決手段】電動式アクチュエータにより全方向移動機能が実現されている、オムニホイールからなる全方向移動機構と、腕と肱を支える円形の支持部と、支持部の下方に配置された大径の円形部材とを有し、支持部は歩行訓練者が左右の手で把持できる左右一対の棒状把持部が前方に設けられ、大径の円形部材と連結され、歩行訓練者が支持部及び円形部材に囲まれて転倒せず歩行訓練でき、支持部及び円形部材が夫々対向して配置された２つの半円形の部材からなり、２つの半円形の部材は一方の端部同士が蝶つがいにより接続されて円形の支持部及び円形部材を形成し、蝶つがいを利用して支持部及び円形部材の後方を広く開けることができ、開けた部分から歩行訓練者が支持部及び円形部材内に入れる。【選択図】図１
2011152444.tif 000002
【特許請求の範囲】
【請求項１】
電動式アクチュエータによって全方向移動機能が実現されている、オムニホイールからなる全方向移動機構と、腕と肱を支える円形の支持部と、前記支持部の下方に配置された該支持部よりも大径の円形部材とを有し、前記支持部は歩行訓練者が左右の手で把持できる左右一対の棒状把持部が前方に設けられるとともに前記大径の円形部材と連結されており、歩行訓練者が前記支持部及び前記円形部材に囲まれて転倒せず歩行訓練できるとともに、前記支持部及び前記円形部材が夫々対向して配置された２つの半円形の部材からなり、前記２つの半円形の部材はその一方の端部同士が蝶つがいにより接続されて円形の支持部及び円形部材を形成しており、前記蝶つがいを利用して前記支持部及び前記円形部材の後方を広く開けることができ、開けた部分から歩行訓練者が前記支持部及び前記円形部材内に入れることを特徴とする全方向移動可能な歩行機能障害者の機能回復用歩行訓練機。
【発明の詳細な説明】
【技術分野】
【０００１】
本発明は、全方向移動機能を持つ歩行訓練機に関する。
【背景技術】
【０００２】
歩行は平坦路における２足直立歩行として単純化，モデル化されることが多いが，歩行障害を身体の機能面での障害として捉えれば，前方向だけではなく，横歩き，後歩き，方向変換などいくつかの基本動作の組み合わせからなる複雑な動作群を考慮しなければならない。したがって，前後・左右を含めた全方向移動できる歩行訓練機が望まれる。
実際リハビリテーションの現場では、直進方向の歩行訓練にキャスター付簡易型歩行機を、左右方向の歩行訓練に平行棒を使用している。訓練器具間の移乗は勿論のことであるが、動力源の無い歩行機を使っているので、歩行訓練者の誘導と訓練が非常に大変である。
一方、電動式歩行訓練機が開発されたが、前後方向しか移動できないため、本来歩行障害のリハビリテーションの目的は達成されていない。また、これらの歩行訓練機の構造上では歩行訓練中で訓練者が転倒する恐れがある。
【先行技術文献】
【特許文献】
【０００３】
【非特許文献１】藤江正克：自立歩行システム，計測と制御，Ｖｏｌ．４０，Ｎｏ．５，ｐ．３８４−３８７（２００１）
【非特許文献２】江原義弘，大橋正洋，窪田俊夫：歩行関連障害のリハビリテーションプログラム入門，医歯薬出版株式会社（１９９９）
【発明の概要】
【発明が解決しようとする課題】
【０００４】
本発明は、上記の問題点を解決するためのものであって、前後左右を含めて、あらゆる方向に移動でき、かつ、訓練中での転倒を防止することができる歩行訓練機を提供することを課題とするものである。
【課題を解決するための手段】
【０００５】
現在ロボット工学分野では、オムニホイールやボールホイールなどを利用して、ロボットの全方向移動機能を実現している。請求項１はロボット工学で使われている技術を活用すれば、容易に実現できる。
【０００６】
自力で歩けない人の歩行訓練を実施するために、腕と肱を支える支持部を設けることで、歩行訓練が可能となる。また、転倒を防止するために、支持部は真中に人のウエストよりやや大きな穴を空ける円形をしており、歩行訓練者を囲むことで、転倒せず安全な歩行訓練が可能となる。
【０００７】
歩行訓練者は歩行訓練を開始する前に歩行訓練機の中に入ることが必要である。そのために、蝶つがいを利用して上記支持部を広く開けることで、歩行訓練者が歩行訓練機の中に入ることが可能である。
【発明の効果】
【０００８】
高齢社会に向かって、加齢による歩行機能の低下が益々深刻になってきている。歩行リハビリテーションのできる医者が、歩行訓練を必要とする者に対して、年々減っている。よって、安全に多機能を持つ歩行訓練機の開発が益々需要である。
本発明は全方向移動機構例えばオムニホイール１を取付ける事により、現在平行棒と簡易型歩行訓練機の二つの機能を実現している。
また、支持部２は歩行訓練者が支持部２によって持たされて歩行訓練を行うので、従来の転倒問題を解決することができた。
よって、本発明を利用すれば、医者のロードを減らすこともでき、歩行機能障害とする前後方向、横歩き、方向転換といったような機能を回復することができる。自立歩行訓練が可能となる。
【図面の簡単な説明】
【０００９】
【図１】本発明の実施の形態における一例の概略図である。
【図２】本発明を利用して、歩行訓練のイメージ図である。
【図３】本発明の有効性を確認するために、造った試作機である。
【図４】図１の蝶つがい５を利用して、支持部２を開けた状態での試作機である。
【発明を実施するための形態】
【００１０】
以下、本発明を添付図面に示す実施の形態に基づいて説明する。
図１は本発明の実施の形態における一例を示す概略図である。
図１に示すように、オムニホイール１を取付けることにより、全方向移動機能を実現されている。ただし、オムニホイールの個数は四個に限定する必要はない。また、各々のオムニホイールに付けられた自由に回転できるローラの個数も八個に限定する必要はない。
尚、全方向移動機能とは、歩行訓練機の姿勢を崩さないで任意な方向に歩行訓練機を移動することができるという機能を意味している。
【００１１】
腕と肱を支える支持部２は異なる半径の金属パイプ３と４に持たされている。パイプ３の半径はパイプ４の半径より大きいので、パイプ４がパイプ３の中にスライドすることができ、よって、支持部２の高度は歩行訓練者の身長に合わせて調整することができる。
【００１２】
歩行訓練者は歩行訓練を開始する前に歩行訓練機の中に入ることが必要である。そのために、蝶つがい５を利用して上記支持部２を広く開けることで、歩行訓練者が歩行訓練機の中に入ることが可能である。また、歩行訓練開始後に上記支持部２を閉じることで、歩行訓練者が歩行訓練機の中に囲まれて、転倒せず歩行訓練を行う事ができる。
【産業上の利用可能性】
【００１３】
本発明は歩行機能障害者の機能回復のために利用される。
【符号の説明】
【００１４】
１      オムニホイール
２      支持部
３      金属パイプ
４      金属パイプ
５      蝶つがい
【図１】
2011152444.tif 000003
【図２】
2011152444.tif 000004
【図３】
2011152444.tif 000005
【図４】
2011152444.tif 000006
(57)【要約】【課題】路盤に関する工事でコンクリートを打設する場合、日本海側の北陸地方から北側では年間を通じて雨、雪が多いためコンクリート打設の日が限られるという問題があった。【解決手段】参道、アプローチの工事の場合、縁石１００Ｋｇ以上、中石５００Ｋｇ以上、駐車場、道路の場合５００Ｋｇ〜１ｔの製品を工場で製造して、現場にいるレッカークレーン又はバックホウで吊り布設してゆく。【選択図】図１
2011137355.tif 000002
【特許請求の範囲】
【請求項１】
駐車場、道路、参道、アプローチその他路盤に関する工事を現場の用途に応じた重量１００Ｋｇ〜１ｔ以上、平面積０．５ｍ２〜４ｍ２以上の製品を工場で製造してレッカークレーン又はバックホウで現場に敷きならべてゆく重量敷きコンクリート製品。
【請求項２】
請求項１で述べた製品の重量や平面積は基本的又は常識的なものだが注文者の要望があれば、平面積は最低０．５ｍ２、重量は最低１００Ｋｇ、最高は平面積、重量は限りがない重量敷きコンクリート製品。
【請求項３】
請求項１の製品の表面の仕上げは化粧石洗い出し、モルタル工芸、石張り、化粧型枠仕上げ、削り仕上げ、タイル張り、金鏝仕上げ、刷毛仕上が一般的である重量敷きコンクリート製品。
【請求項４】
請求項３で述べた製品の表面の仕上げは一般的なものだが、注文者の要望によりゴム、金属、木材で施工する場合があり表面の仕上げに関しては限りがない重量敷きコンクリート製品
【発明の詳細な説明】
【技術分野】
【０００１】この発明は、路盤に関する工事に敷く製品の製造と施工に係り、特に製品の重量が、１００Ｋｇ〜１ｔを越える大型の製品に関する。
【背景技術】
【０００２】従来、道路、駐車場、建築物の参道、アプローチといった路盤に関する工事は、現場でコンクリート、モルタル、砂利を施工していた。従来工場から製造された製品は１箇、１０Ｋｇ前後の小さなものであった。
【発明の概要】
【発明が解決しようとする課題】
【０００３】これは次のような欠点があった。従来、路盤上にコンクリート及びモルタルを施工する場合において、特に日本海側の北陸地方から北側の地方では、年間を通じて雨や雪の日が多く、コンクリートを打設するのに安心できる天気予報での降水確率０％〜１０％は数えるほどしかない。１月では２日間とされている。工事中の工期が決まっているとき３０％〜５０％の危険な確率でもコンクリートを打設する場合もある。又今日は晴れますと予報があると、生コンクリート製造会社はどこもいそがしくて注文が決まりにくい。又晴れの予報にかかわらず地域によっては８時〜１５時まで雨が降っているときがあり、又夏場だと確率１０％〜２０％でも雷雨が発生する。天気予報でも、どの地域になん時に雷雨があるかは、ほとんど予測不可能な状態である。又北陸での週間天気予報は、ほとんど当たらない方が多い。このような天気予報の状態でコンクリートを打設して雨にたたかれると補修で許してもらえるならまだしも、注文者の要望で解体して、やり直しをする場合もある。【０００４】従来のコンクリートの製品だと、１箇１０Ｋｇ前後の小さいため手作業で敷きならべ完成までに労力を使った。さらに乗用車以上の車が通ると製品が下がる場合があり窪みができた。
【課題を解決するための手段】
【０００５】路盤にコンクリート、モルタルの工事の場合、工場で１００Ｋｇ〜１ｔ、平面積０．５ｍ２〜４ｍ２以上の製品を製造して、参道やアプローチの縁石は１００Ｋｇ以上、中石は５００Ｋｇ、駐車場や私道、町道は５００Ｋｇ〜１ｔ以上と用途に応じた重量の製品を現場にいるレッカークレーン又はバックホウで吊りあげ、整地転圧した路盤の上に畳を敷くようにならべてゆく。
【発明の効果】
【０００６】工場で生産するので施工時、天候に左右されず製品が大型なので施工時間の大幅な短縮となり重量車が通っても下ったり窪みができたりしない。【０００７】またデザイン的にも、化粧石洗い出し、モルタル工芸、削り仕上げ、化粧型枠仕上げ、金鏝仕上げ、刷毛仕上、石はり、タイルはりなどその他多種の製品ができる。
【図面の簡単な説明】
【０００８】
【図１】    本発明の断面図
【図２】    参道、アプローチ施工後の平面図
【図３】    駐車場施工後の平面図
【図４】    道路を施工後の平面図
【符号の説明】  １    コンクリート
２    鉄筋
３    ボルト
４    アイナット
５    縁石
６    中石、化粧石洗い出し仕上げ・削り仕上げ、化粧型枠仕上げのいずれか。
７    モルタル工芸仕上げの中石。
８    射線部分は化粧砂利、芝、たまりゆう、のいずれか。
９    駐車場に敷く金鏝仕上げ又は刷毛仕上げのいずれか。
１０  射線部分は目地として化粧砂利。
１１  道路に敷く刷毛仕上げの製品
１２  目地として、エラスタイト、ケンタイトのいずれか。
【発明を実施するための形態】
【０００９】以下、本発明の実施の形態を図１〜図４に基づいて説明する。
【００１０】図１の鉄筋２にボルト３を溶接する。そこへコンクリート１を打設後、真直に均し終ったあと化粧石洗い出し、モルタル工芸、化粧型枠仕上げ、金鏝仕上げ、刷毛仕上げのいずれかを施工して製品となる。削り仕上げは生コンクリートが十分に強度が出た後、表面を削り製品とする。
【００１１】図２はアプローチの平面図である。縁石５は幅が狭いため平面積０．５ｍ２〜１ｍ２、重量１００Ｋｇ〜２００Ｋｇの製品にする。中石６は平面の形は決まっておらず、このほかにも多種ある。
中石６は平面積２ｍ２〜３ｍ２として、重量は５００Ｋ前後とする。縁石５と中石６の平面の仕上げは、化粧石洗い出し、化粧型枠仕上げ、削り仕上げのいずれかとする。中石７はデザイン的に製品に絵をモルタルで作るモルタル工芸である。射線部分８は化粧砂利を敷くか、芝又は、たまりゆうを植える。
【００１２】図３の駐車場、製品９は平面の仕上げは金鏝仕上げ又は刷毛仕上とする。製品９の平面積２ｍ２〜４ｍ２として、重量は５００Ｋｇ〜１ｔ以上とする。デザイン的に数枚、モルタル工芸７中石６を入れる。射線部分１０は目地に化粧石を埋めて仕上げとする。
【００１３】図４は私道、町道の平面図である。製品１１、モルタル工芸７を布設するとき、間に目地材及びコンクリートのひび割れ防止にエラスタイト又はケンタイト１２を間に挟んで仕上げる。
【００１４】以上の縁石５、中石６、中石モルタル工芸７、製品９、製品１１を本来なら現場で施工すべきものを工場で製造し、現場で図１のボルト３にアイナット４を取り付けアイナット４にワイヤーを通してレッカークレーン又はバックホウで吊り布設する。
【図１】
2011137355.tif 000003
【図２】
2011137355.tif 000004
【図３】
2011137355.tif 000005
【図４】
2011137355.tif 000006
(57)【要約】【課題】山の斜面を住居スペースとして提供する。【解決手段】山の斜面を段々畑や棚田のように造成し、そこに２階建て以下の建物を造り、各階層まで任意にいける斜面エレベーターを設け、山を普通のビルのように使う。【選択図】図４
2011137350.tif 000002
【特許請求の範囲】
【請求項１】
山の斜面を段々畑や棚田のように造成し、そこに２階建て以下の建物を造り、各階層まで任意にいける斜面エレベーターを設けたことを特徴とする山ビル。
【請求項２】
山の周囲を一周して次の高さの段になるようにした全体としては一つのなだらかな坂道のような棚よりなる請求項１の山ビル。
【請求項３】
造成した部分とその上にある部分に降る雨の大部分は屋根などで集め、人工的なルートで、大地に浸透させることなく麓まで導けるようにしたことを特徴とする請求項１の山ビル。
【発明の詳細な説明】
【技術分野】
【０００１】  本発明は山の斜面を使った高層建造物、ここでは山ビルと呼ぶものに関する。
【背景技術】
【０００２】  高層棚田は世界各地にあり、温泉地の旅館などでは階段を多く設けた、山の斜面を利用した建物も存在する。
【発明の開示】
【発明が解決しようとする課題】
【０００３】  山の斜面を住居として利用することがごく一部でしかなされていない。これは豪雨などによる山崩れの危険や、上り下りが大変なことが主な原因と思われる。上り下りが大変なことはエスカレータなどを設置すればいいわけであるが、規模が小さいと採算が取れず、ほとんどなされていない。したがって、町の近くにある山でも現在の経済価値はきわめて低くしか見られていない。ましてそこを住居適地と考える人はほとんどいない。
【課題を解決するための手段】
【０００４】  山の斜面に多数の段差を設け、層状に山の頂上近くまで、細長い平地を多数造り、各段までは、麓から、斜面を動くエレベーターを設ける。イメージとして普通のビルのフロアーとエレベーターがあると考えればよい。駐車場は麓にある。
請求項２は大きな山や連続した山などでは、ほとんど水平としか見えない角度でも、山を一周してくると数メートル上の段になっているようにすることが出来、これは工事もやりやすく、普通の車でも登ることが可能になる。山の全周囲を使えない場合は、九十九折の坂道のように両端で折り返し、工事を進める。
請求項３は集中豪雨などによる山崩れを防ぐために、この山に降り注ぐ雨の大部分を、山の大地に浸透させず、人工的水路で麓に流すということである。これは各層にある建造物の屋根から、雨樋でまず集め、各層に設けた人工水溜めに集め、さらにそこからあふれたものを、人工水路で麓に流す。このような事情のため、大きな山の途中まで使うということは薦められない。
【発明の効果】
【０００５】今まで利用価値の少なかった山の斜面が、きわめて価値のある土地になる。住居としての景観は申し分なく、安全性も通常の垂直ビルより高い。通常のビルは１００年を経たず、すべてを壊さなければならないが、山ビルは基本となる地形は多少の手入れで永久に残り、そこに設ける住居スペースなども、きわめて端単に、低価格で出来る。基本的に太陽は十分当たり、植物栽培する庭なども各階に造れる。上の部分に降った雨はそのほとんどが、下の層の住居人の生活用水に動力なしで利用できる。
【発明を実施するための最良の形態】
【０００６】    斜面の角度にもよるが、普通は段差が２．５〜５ｍ、幅１０〜１５ｍ程度のものが造りやすい。したがって山の傾斜もそのようなものを使う。土の大移動は行わず、高いほうから低いほうへ重機で崩しいれると言うやり方をすると効率が著しく良い。等高線によっては幅を変える。本発明に適する山は傾斜角が１５〜４０度程度で、上からの山崩れが起こらないよう、山頂まで使いたいので、標高差数百ｍ程度が望ましい。
図１に示すものは最も簡単なタイプ。１は透明白色屋根、これは曇りガラスのようなタイプで光は乱反射でほとんど通す。プラスチック波板が安価。２は通路兼庭である。このように住居部分を掘り込むと、温度的に安定、強度も強くなる。通路が前にあるとプライバシーが阻害されるが、お店としては逆に有効。傾斜部は石やコンクリートで保持せず、造成したまま、ほとんど自然には崩れてこない角度にするのが経済的で、修理もしやすい。横梁は傾斜土手に打ち込むようにすると縦支柱の安定がとりやすい。図のままでは温室として使うようなものだが、住居の場合は、資金量によって、どのようにでも豪華にできる。雨風が当たらないので、強度は必要なく、天井部も開閉できるようにしたり、網戸をつけたり、反射材、遮光ネットなどを可動式に取り付けることもできよう。天井外側にはつる性植物をはらせること容易にできる。
図２に示すものは住居部分が２階建てなっている。２は柱、３は通路でこの場合はホテルの廊下と考えればよい。４は雨樋である。横方向の仕切りは、通常の壁でもよいが数ｍ程度の土の層を残しておけば、遮音、断熱効果、独立性も簡単に得られる。この部分は広葉樹を植えておくと良い。通路はその部分も貫通して設ける。初期工事の際は主に、ここを重機が通る。図３に示すものは２階建ての部分をさらに本格的に造ったもので、住居スペースはほぼ２倍に上がる。屋根からの太陽光取り入れ可能部分は半分になるが、山ホテル、山マンションとしての利用価値大。図４は概観図。最も単純なタイプのものだが、山はいくつかが連続しているのが普通であり、その場合も基本的に同じ。  ５が斜面エレベーター、６は駐車場である。
山頂付近はレストランや公園にする。山の反対側も使える場合はエレベーターの吊り下げ支点をそちら側に設け、ロープで山頂を越えて吊り下げ滑車を押さえるようにすると、安全性も容易に確保できる。
【図面の簡単な説明】
【０００７】
【図１】最も簡単なタイプの横断面図
【図２】斜面屋根２階建てタイプの断面図
【図３】重なり合う２階建てタイプの断面図
【図４】山全体の概略斜視図
【符号の説明】
【０００８】  １  透明白色屋根
２  柱
３  廊下通路
４  雨樋
５  斜面エレベーター
６  駐車場
【図１】
2011137350.tif 000003
【図２】
2011137350.tif 000004
【図３】
2011137350.tif 000005
【図４】
2011137350.tif 000006
(57)【要約】      （修正有）【課題】大面積の反射板部分を風に強くしたい。【解決手段】反射板１が１ｍから２ｍ程度のものを横に多数並べて造る場合は、溝の深さは１ｍ程度、幅は４ｍ程度、支柱３に支えられた、蒸発管２は焦点の位置にあり、それが反射板１の回転軸も兼ねることになる。４は回転する反射板を保持する横棒を支持するブランコのように移動する梁である。この装置は溝内に造るため、太陽高度があまり低い朝夕の利用は出来ないが、風に対する強さの利点がある。装置を南北向きに作ると、朝夕に強い。東西向きに作ると反射板の日周移動が必要なくなる利点がある。この場合は日本などの緯度では南側のスロープは光が入りやすいようになだらかにし、北側はより急斜面にする。【選択図】図２
2011137620.tif 000002
【特許請求の範囲】
【請求項１】
パラボリックトラフの反射面の大部分が大地を掘り下げた溝内にあることを特徴とする太陽光集光集熱装置。
【発明の詳細な説明】
【技術分野】
【０００１】      本発明は太陽エネルギーを集め利用するいわゆるバラボリックトラフ型の太陽光集光集熱装置に関する。
【背景技術】
【０００２】      直線状に焦点を持つバラボリックトラフ型の集光集熱装置は存在する。
【発明の開示】
【発明が解決しようとする課題】
【０００３】      この装置の最大の問題点は風に弱いことである。大きな放物面を持つ反射板を台風のような強風にも耐えうるようにするためには、十分な強度を持つように造らなければならず、それは低密度の太陽エネルギーを集めるのに不都合を生じ、採算性が取れなくなり、経済的に実現が困難になる。
【課題を解決するための手段】
【０００４】風をまともに受けないよう、大地に掘り込んだ溝の中に、反射板の大部分が入り込んでしまうようにする。これは各列ごとに独立した溝内に造るということである。
【発明の効果】
【０００５】風除けのためには、単なる板塀でもいいわけであるが、パワーショベルのような重機がある今日、大地を掘り込むことのほうがはるかに経済的である。これは材料を必要とせず、強度、耐久性が比較にならないほど良いということからくる。台風のような時は、回転する反射板は最下部に持っていき、そこが反射板の緊急非難場所になる。
【発明を実施するための最良の形態】
【０００６】
2011137620.tif 000003
は４ｍ程度、支柱３に支えられた、蒸発管２は焦点の位置にあり、それが反射板１の回転軸も兼ねることになる。４は回転する反射板を保持する横棒を支持するブランコのように移動する梁である。  この装置は溝内に造るため、太陽高度があまり低い朝夕の利用は出来ないが、風に対する強さの利点が、その欠点より、大きいため出てきたアイデアである。  装置を南北向きに作ると、朝夕に強い。東西向きに作ると反射板の日周移動が必要なくなる利点がある。この場合は日本などの緯度では南側のスロープは光が入りやすいようになだらかにし、北側はより急斜面にする。必要なら雨水の排水設備は各列ごとに設ける。
【図面の簡単な説明】
【０００７】
【図１】横断面図
【図２】斜視図
【符号の説明】
【０００８】  １  反射板
２  蒸発管
３  支柱
４  反射板支保持梁
【図１】
2011137620.tif 000004
【図２】
2011137620.tif 000005
(57)【要約】      （修正有）【課題】暴漢の自由を奪い、安全に押さえつけることができる、手錠式さすまたを提供する。【解決手段】さすまたの先端部に、大型で手錠のように係止する機能をもった拘束具を備える。前記拘束具で、暴漢の身体または足を、手錠と同様に囲い込むように係止するので、暴漢の行動の自由を奪うことができる。たとえば、暴漢が長い日本刀などを持っている場合でも、胴体用の手錠式さすまた拘束具で動けなくし、脚用の手錠式さすまた拘束具で押さえつけることで転倒させ、暴漢を取り押さえておくことが、安全かつ容易に実施できる。【選択図】図４
2011137619.tif 000002
【特許請求の範囲】
【請求項１】
犯人を施錠して身動きを取れないようにする、さすまた先端部の仕組み
【発明の詳細な説明】
【技術分野】
【０００１】現在のさすまたに、大型の手錠を取り付けて、犯人の身体または足を抑え付け、行動が出来なくなる。
【背景技術】
【０００２】  犯人を取り押さえるための手錠式さすまた。身体の時は、身体を締め付け足の時は足を締め付けてその場で取り押さえることが出来、ひとりかふたりでも取り押さえることが出来ます。
【発明の概要】
【発明が解決しようとする課題】
【０００３】押さえつけて、手錠式なので犯人の行動が出来なくなる。ただ、犯人が長い日本刀などを持っている場合は、胴体用で動けなくし、脚用で押さえつければ転びますので逮捕できます。
【課題を解決するための手段】
【０００４】まず早く犯人を取り押さえることです。脚用だけの手錠式さすまたでも取り押さえることが出来ます。。
【背景技術】
【０００５】現在のさすまたではただ押さえつけるだけなので何人もの人手が必要とされます。それでも押さえつけるだけなので犯人を取り押さえることが困難でした．
【発明の効果】
【０００６】人数が少なくても危害を加えられることなく逮捕することが出来ます。
【図面の簡単な説明】
【０００７】
【図１】が手錠部を開いたところ、
【図２】が手錠部を閉じたところ、
【図３】がさすまた部分、
【図４】が完成図
【図１】
2011137619.tif 000003
【図２】
2011137619.tif 000004
【図３】
2011137619.tif 000005
【図４】
2011137619.tif 000006
(57)【要約】      （修正有）【課題】従来、ジェット型ヘルメットは使用者の安全性のため、側面まで覆われていたが、ヘルメットを被ったままでは、携帯電話を使用できず、脱がなければならなかったため、携帯電話の対応が遅れていた。【解決手段】ヘルメットの側面に携帯電話が使用できる空間１を設けたことを特徴とするジェット型ヘルメットである。これにより、ヘルメットを被ったままでも、携帯電話が使えるため、わざわざヘルメットを脱ぐ必要がなくなり、素早く携帯電話に対応できる。【選択図】図１
2011137276.tif 000002
【特許請求の範囲】
【請求項１】
側面に携帯電話が使用できる空間を設けたことを特徴とする、ジェット型ヘルメット。
【発明の詳細な説明】
【技術分野】
【０００１】  この発明は側面に携帯電話が使用できる空間を設けた、ジェット型ヘルメットに関するものである。
【背景技術】
【０００２】  従来、ジェット型ヘルメットは使用者の安全性のため、側面まで覆われていた。
【発明の開示】
【発明が解決しようとする課題】
【０００３】  ヘルメットを被ったままでは、携帯電話を使用できず、脱がなければならなかったため、携帯電話の対応が遅れていた。
本発明は、以下の欠点をなくすためになされたものである。
【課題を解決するための手段】
【０００４】  ヘルメットの側面に携帯電話が使用できる空間を設けたことを特徴とするジェット型ヘルメットである。
【発明の効果】
【０００５】  ヘルメットを被ったままでも、携帯電話が使えるため、わざわざヘルメットを脱ぐ必要がなくなり、素早く携帯電話に対応できる。
【発明を実施するための最良の形態】
【０００６】  以下、本発明の実施例について説明する。
ヘルメットの側面に（１）空間を設け、風が入り込むことを防止するため、（２）ふたを設ける。
本発明は以上のような構成で、これを使用するときは、図２が示すように、（３）携帯電話を（２）ふたに押し当てると内側に倒れ、（１）空間に（３）携帯電話が入り込み利用することができる。
【図面の簡単な説明】
【０００７】
【図１】本発明の斜視図である。
【図２】本発明の実施例を示す斜視図である。
【符号の説明】
【０００８】  １  空間
２  ふた
３  携帯電話
【図１】
2011137276.tif 000003
【図２】
2011137276.tif 000004
(57)【要約】      （修正有）【課題】使用してすり減っていくにつれて、隠されたメッセージが現れ出て、受取った使用者に予期せぬメッセージの出現で驚きを与えたり、またメッセージ内容を予想させるなどして楽しませながら使用させることが出来る隠しメッセージ入り石鹸を提供する。【解決手段】石鹸中心部１に別色石鹸でメッセージ２を設け、その上に石鹸外側３を設けて、使用してすり減っていくにつれて徐々に現れ出る視覚的変化で使用者を楽しませるような、表面にメッセージが現れ出て来る隠しメッセージ入り石鹸。【選択図】図２
2011137121.tif 000002
【特許請求の範囲】
【請求項１】
石鹸中心部（１）に別色石鹸でメッセージ（２）を設け、その上に石鹸外側（３）を設けた隠しメッセージ入り石鹸。
【発明の詳細な説明】
【技術分野】
【０００１】  本発明は、使用してすり減っていくにつれて表面にメッセージが現れ出て来る隠しメッセージ入り石鹸に関するものである。
【背景技術】
【０００２】  従来、石鹸にマークや文字のメッセージをあらわす時は、石鹸の表面に見えるようになされていた。
【発明の開示】
【発明が解決しようとする課題】
【０００３】  これは、次のような欠点があった。
従来、石鹸表面に見えるようにあらわされたマークや文字のメッセージは、使用当初に判明するものであり、隠されていたメッセージが、使用してすり減っていくうちに徐々に現れ出る視覚的変化で使用者を楽しませるような遊戯性はなかった。
本発明はこの課題を解消するためになされたものである。
【課題を解決するための手段】
【０００４】  石鹸中心部（１）に別色石鹸でメッセージ（２）を設け、その上に石鹸外側（３）を設ける。
以上の構成よりなる隠しメッセージ入り石鹸。
【発明の効果】
【０００５】  メッセージ内容を定めた隠しメッセージ入り石鹸を、その内容を知らせずに贈りものにすることなどで、受取った使用者に予期せぬメッセージの出現で驚きを与えたり、またメッセージ内容を予想させるなどして楽しませながら使用させることが出来る。
【発明を実施するための最良の形態】
【０００６】  以下、本発明の実施の形態を説明する。
石鹸中心部（１）に別色石鹸でメッセージ（２）を設ける。その上に石鹸外側（３）を設ける。
本発明は以上のような構造である。
本発明を使用するときは、石鹸外側（３）を、使用することで摩耗させて石鹸中心部（１）に設けたメッセージ（２）を徐々に露出させる。
【図面の簡単な説明】
【０００７】
【図１】  本発明の斜視透視図
【図２】  本発明の斜視断面透視図
【符号の説明】
【０００８】  １  石鹸中心部
２  メッセージ
３  石鹸外側
【図１】
2011137121.tif 000003
【図２】
2011137121.tif 000004